(57)【要約】【課題】小型であるにもかかわらず処置部先端の処置片を任意に開閉、回動でき、かつ処置部全体を９０度屈曲でき、術者が思い通りの位置で処置ができる外科用処置具を提供することを目的とする。【解決手段】体内に挿入される挿入部と、挿入部の基端部に設けられ、術者によって把持される操作部と、挿入部の先端に設けられ操作部によって回動及び開閉される処置部とを備えた外科用処置具において、前記操作部にレバーと回転円板とが軸方向に並列に回転自在に固定され、レバーの作動で処理部先端の処置片が開閉及び回動でき、回転円板の作動で処置部が屈曲することを特徴とする外科用処置具。【選択図】        図１
2006326148.tif 000002
【特許請求の範囲】
【請求項１】
体内に挿入される挿入部と、挿入部の基端部に設けられ、術者によって把持される操作部と、挿入部の先端に設けられ操作部によって回動及び/又は開閉される処置部とを備えた外科用処置具において、前記操作部にレバーと回転円板とが軸方向に並列に回転自在に固定され、レバーの作動で処置部先端の処置片が開閉及び/又は回動でき、回転円板の作動で処置部が屈曲することを特徴とする外科用処置具。
【請求項２】
挿入部と独立にレバーの回動で処置部先端の処置片が回動することを特徴とする請求項１記載の外科用処置具。
【請求項３】
処置片と処置部との作動が操作部に連結するワイヤで行うことを特徴とする請求項１又は２記載の外科用処置具。
【発明の詳細な説明】
【技術分野】
【０００１】
本発明は、外科用処置具に関し、さらに詳しくは体内に挿入される挿入部と、挿入部の基端部に設けられ且つ術者によって把持される操作部と、挿入部の先端に設けられ操作部によって回動及び/又は開閉する処置部を備えた外科用処置具に関する。
【背景技術】
【０００２】
体内に挿入される挿入部と、挿入部の基端部に設けられ且つ術者によって把持される操作部と、挿入部の先端に設けられ回動及び開閉する処置部とを備えた外科用処置具は例えば、特許文献１、２などに示されているように多様に提案されている。前記特許文献１の外科用処置具は手元操作部の回動操作や駆動軸操作で駆動棒を介して挿入部を軸方向に進退させるとともに処置部の開閉を行っている。しかし、同外科用処置具では駆動部材を剛性の駆動棒で作成していることから大型化し、片手での操作が困難である上に、製造コストも高いなどの欠点があった。他方、特許文献２に記載の外科用処置具にあっては駆動をワイヤなどの簡便な部材を使用し比較的小型化でき、製造コストも低くできるが、処置部の操作が処置片の回動及び開閉にとどまり術者の作業が制限され、適切な処置ができないなどの欠点があった。
【特許文献１】特開２００３−１０１９６号公報
【特許文献２】特開２００２−１８６６２４号公報
【発明の開示】
【発明が解決しようとする課題】
【０００３】
こうした現状に鑑み、本発明者らは、鋭意研究を続けた結果、操作部で処置部先端の処置片の開閉及び/又は回動を自在にするとともに、処置部全体を９０度屈曲できる機構を設けることで術者が思い通りの位置で処置を行うことができ、かつ装置を小型化でき製造コストも低くでき使い捨てが可能な外科用処置具が得られることを見出して、本発明を完成したものである。すなわち、
【０００４】
本発明は、処置部の先端の処置片を任意に開閉及び/又は回動できる上に、処置部全体を９０度屈曲でき、術者が思い通りの位置で処置ができる外科用処置具を提供することを目的とする。
【０００５】
また、本発明は、単純で、小型で製造コストが低く使い捨てが可能な外科用処置具を提供することを目的とする。
【課題を解決するための手段】
【０００６】
上記目的を達成する本発明は、体内に挿入される挿入部と、挿入部の基端部に設けられ、術者によって把持される操作部と、挿入部の先端に設けられ操作部によって回動及び/又は開閉される処置部とを備えた外科用処置具において、前記操作部にレバーと回転円板とが軸方向に並列に回転自在に固定され、レバーの作動で処理部先端の処置片が開閉及び/又は回動でき、かつ回転円板の作動で処置部が屈曲することを特徴とする外科用処置具に係る。
【０００７】
上述のように本発明の外科用処置具は操作部にレバー４１と回転円板４２とが軸方向に並列に配置されており、レバーを回動することで処置部も回動する。そして前記レバーの一端を例えば右手で把持することでレバーの他端に固定されるワイヤ５１が引っ張られ通常は開状態の処置部先端の処置片２２，２３が閉じ試料を採取又は把持できる。回転円板はレバーを把持しながら回転させることで処置部を屈曲でき任意の位置に処置片を配置でき試料の採取又は把持をより容易にする。挿入部は、レバーに接続するワイヤが貫通する円筒状管７２と該円筒管が貫通するとともに、回転円板に固定されているワイヤが貫通する円筒状シース７３とからなり、その基端部寄りにトロッカー８が嵌合されている。処置部２全体は前記回転円板の作動で関節２１、３１の作用で９０度屈曲できる。
【０００８】
本発明の外科用処置具は、このように作動伝達手段がワイヤで行なわれ、かつ各部材が耐熱性のあるステンレス製又は耐熱性プラスチックで作成されていることから、軽量で片手で容易に把持できる上に、製造コストが低く使い捨てが可能である。その上、操作部も全て金属製とすることで高圧減菌ができる。
【発明の効果】
【０００９】
本発明の外科用処置具は、処置片の開閉及び/又は回動並びに処置部の屈曲で前記処置片を目的位置に正確に移動できる。しかも作動の伝達をワイヤをはじめ操作部も金属製とすることで高圧減菌ができる。特に操作部を耐熱性プラスチックで作成することで軽量化が図られ、片手で容易に把持でき、かつ製造コストも低くでき、使い捨て処置具としても使用できる。  
【発明を実施するための最良の形態】
【００１０】
本発明を図面に基づいて具体的に説明する。図１は本発明の外科用処置具１の全体構造を示す斜視図で、処置部２、体内挿入部３、操作部４からなる。操作部４を図２の分解図に基づいて説明すると、レバー４１と回転円板４２とが軸方向に並列して枠体４３に回転自在に枢支ピン４４，４５で固定されている。レバー４１は親指で握り下方に押すことでレバー４１の他端に固定されているワイヤ５１が引っ張られ処置部２先端の開放状態の処置片２２、２３が閉じ試料片の採取又は把持ができる。レバー４１の他端部にはこのワイヤ５１とともにスプリング６１が繋止されレバー４１の握りを離すと巻き上げられたワイヤ５１が開放され処置片２２，２３が元の状態である開放状態となる。ワイヤ５１は円筒状管を貫通して前記処置片２２、２３に連結されている。
【００１１】
レバー４１の軸方向の前方には大小の円板４２１、４２２を同軸に固定した回転円板４２が配置され、ワイヤ５２、５３が相補的に繋止されている。回転円板４２を図５のA−A‘方向に回転させることでワイヤ５２又は５３が引っ張られ処置部２がー９０度〜＋９０度の範囲で屈曲する。回転円板４２は２つのスプリング６２、６３の上に載置され、上方に押し上げられ図３の歯車４２４とストッパー４２５とが噛合うロック機構で固定されている。回転円板４２を回転させるに当っては回転円板を下方に押し前記ロックを解除してから行う。ワイヤ５１が貫通する円筒状管７２は操作部の仕切り７１の中心部に回動自在に支持されている。円筒状管７２はレバー４１を回動させることで、円筒状シース７３と独立に回動する。そして円筒状シース７３の基端部にはトロッカ８が嵌合されている。
【００１２】
図４に基づいて挿入部３を説明する。挿入部３の一端は操作部の枠体４３に回動自在に固定され、その中にワイヤ５１が連通する円筒状管７２が貫通する。挿入部３の他端には関節部２１、３１が設けられている。関節部の中にワイヤ５１を連通するスプリング３３が配置されている一方、円筒状シース７３内のワイヤ５２、５３が関節部２１に固定され、回転円板４２を回転させることによりワイヤが相補的に引っ張られ処置部２がー９０度〜＋９０度の範囲で屈曲する。挿入部３には処置部２が関節部を介して連接され、その先端には処置片２２、２３が枢支軸２４で枢支され、処置片２２、２３の基端部側にワイヤ５１が接続され、レバー４１の移動で開放状態から閉鎖状態に変化し、体内の試料片を採取又は把持する。
【００１３】
実際の操作においては、図５に示すように、処置部２が目的の場所に到達したところで術者の右手９でレバー４１を押し、図６にみるように処置片２２、２３を閉じ試料を採取及び/又はするが、処置片を目的位置に正確に到達させるためレバー４１を掌で抑えつつ回転円板４２を回転させ、処置部２を図６にみるように屈曲させる。前記作動でも目的位置に処置片を移動できない場合には、レバー４１を回動させて位置設定を行う。
【００１４】
このように本実施形態によれば、開閉可能な処置片を備えた処置部全体をー９０度〜＋９０度の範囲で上下方向及び左右方向に屈曲できる上に、処置片２２，２３も上下方向及び左右方向に回動できることから、処置片を目的位置に容易に固定でき、処置の自由度が向上する。
【産業上の利用可能性】
【００１５】
本発明の外科用処置具は、処置片を体内の任意の位置に移動して試料片を採取または把持でき医学的に有用である。
【図面の簡単な説明】
【００１６】
【図１】本発明の外科用処置具１の全体構造を示すものである。
【図２】図１における操作部の分解図である。
【図３】図１の操作部の斜視図である。
【図４】図１の処置部の分解図である。
【図５】図１の操作部の操作を示す概略図である。
【図６】図１の回転円板を操作したときの処置部の屈曲を示す説明図である。
【符号の説明】
【００１７】
１：外科用処置具
２：処置部
３：挿入部
４：操作部
２１，３１：関節部
２２、２３：処置片
４１：レバー
４２：回転円板
５１〜５３：ステンレスワイヤ
７２：円筒管
７３：円筒状シース
８：トロッカー
【図１】
2006326148.tif 000003
【図２】
2006326148.tif 000004
【図３】
2006326148.tif 000005
【図４】
2006326148.tif 000006
【図５】
2006326148.tif 000007
【図６】
2006326148.tif 000008